(57)【要約】      （修正有）【課題】複数の画像と撮影位置を撮影時刻の経過に沿って把握し易く表示する。【解決手段】画像記録管理装置１０は、撮影時刻と撮影位置情報が付加された複数の画像及び、地図情報を記憶する記憶手段１２と、入力された指定時刻を含む指定期間情報を決定する指定期間決定部１４ａと、指定期間情報に基づき記憶手段１２から画像情報を取得する画像抽出部１５と、該画像情報、撮影位置情報、撮影時刻情報を示す撮影履歴付画像を生成する撮影履歴付画像生成部１６と、撮影位置情報に基づき、撮影履歴付画像生成部で生成された撮影履歴付画像の地図上の座標を算出する座標算出部１７と、指定時刻と撮影時刻情報との時間の差分に応じて撮影履歴付画像を表示変更する表示強弱処理部１８ａと、座標算出部１７で算出された地図上の座標に基づき記憶手段１２から地図情報を取得し、上記撮影履歴付画像を地図上に重畳して表示する重畳処理部１９とを備えた。【選択図】図１
2011243164.tif 000002
【特許請求の範囲】
【請求項１】
撮影時刻情報と撮影位置情報が付加された複数の画像情報（静止画、動画を含む）を記憶するとともに地図情報を記憶する記憶手段と、
入力された指定時刻を含む指定期間情報を決定する指定期間決定部と、
上記指定期間決定部からの指定期間情報に基づき上記記憶手段から画像情報を取得する画像抽出部と、
上記画像抽出部からの画像情報、撮影位置情報、撮影時刻情報を示す撮影履歴付画像を生成する撮影履歴付画像生成部と、
上記画像抽出部からの撮影位置情報に基づき、上記撮影履歴付画像生成部で生成された撮影履歴付画像の地図上の座標を算出する座標算出部と、
上記指定期間決定部に入力された指定時刻と上記画像抽出部からの撮影時刻情報との差分時間の長さに応じて撮影履歴付画像を表示変更する表示強弱処理部と、
上記座標算出部で算出された地図上の座標に基づいて、上記記憶手段から地図情報を取得するとともに、上記表示強弱処理部からの撮影履歴付画像を地図上に重畳して表示させる重畳処理部と、
を備えた画像記録管理装置。
【請求項２】
上記重畳処理部で上記指定期間内の全ての撮影履歴付画像が地図上に重畳されると、上記指定時刻を更新する指定時刻更新部を備え、
上記指定期間決定部は、上記指定時刻更新部で更新された指定時刻に基づき新たな指定期間情報を決定することを特徴とする請求項１記載の画像記録管理装置。
【請求項３】
上記表示強弱処理部は、上記撮影時刻情報が同じ時刻の上記撮影履歴付画像を同じ濃淡の表示に変更することを特徴とする請求項１または請求項２記載の画像記録管理装置。
【請求項４】
上記表示強弱処理部は、上記指定期間決定部に入力された指定時刻と上記画像抽出部からの撮影時刻情報との差分時間が長くなるにしたがって撮影履歴付画像を段階的に薄く表示することを特徴とする請求項１から請求項３のうちのいずれか１項記載の画像記録管理装置。
【請求項５】
上記撮影履歴付画像生成部は、上記画像情報を撮影した複数の移動端末別の撮影履歴付画像を生成し、識別しやすくすることを特徴とする請求項１から請求項４のうちのいずれか１項記載の画像記録管理装置。
【請求項６】
上記指定期間決定部からの指定期間情報と上記画像抽出部からの撮影時刻情報に基づき、上記指定期間情報に含まれる所定の時間幅毎に上記撮影履歴付画像の表示色を変更する表示色処理部を備えたことを特徴とする請求項１から請求項５のうちのいずれか１項記載の画像記録管理装置。
【請求項７】
上記撮影履歴付画像の撮影位置情報に基づき、撮影位置情報が所定の間隔に有る複数の撮影履歴付画像に含まれる画像を重ならないよう一括表示する一括表示処理部を備えたことを特徴とする請求項１から請求項６のうちのいずれか１項記載の画像記録管理装置。
【請求項８】
上記記憶手段は、上記画像を撮影した移動端末における電源オンと電源オフの時刻情報と位置情報を記憶しており、
上記指定期間決定部からの指定期間と上記記憶手段からの時刻情報と位置情報に基づき上記移動端末における電源オンオフされた時刻と位置を表示する端末状態表示処理部を備えたことを特徴とする請求項１から請求項７のうちのいずれか１項記載の画像記録管理装置。
【請求項９】
上記表示強弱処理部は、ユーザにより表示ロック指定された撮影履歴付画像を記憶しており、上記指定時刻の日付と上記撮影履歴付画像に含まれる撮影時刻情報の日付の差分が所定日数を超えた場合、表示ロック指定されていない撮影履歴付画像は消去するが、表示ロック指定された撮影履歴付画像は消去しないことを特徴とする請求項１から請求項８のうちのいずれか１項記載の画像記録管理装置。
【発明の詳細な説明】
【技術分野】
【０００１】
この発明は、例えば、複数の移動端末により撮影された静止画、動画を含む画像（以降、画像は静止画、動画を含むものとする）を地図画像上に重畳させて表示する画像記録管理装置に関するものである。
【背景技術】
【０００２】
画像記録管理装置は、撮影機能と位置情報取得機能（例えば、ＧＰＳ＝Global Positioning System）を有する移動端末から、撮影時刻情報と撮影位置情報を付加した画像（静止画、動画）を入力し、画像、撮影時刻情報、撮影位置情報を関連付けて記録している。画像記録管理装置は、例えば、防災情報表示システムにおいて用いられており、災害や事故が発生した際に、撮影機能を有する複数の移動端末から受信した災害現場や事故現場の画像を記録している。このような画像記録管理装置では、記録した画像、撮影時刻情報、撮影位置情報に基づき、指定期間情報内において撮影された全ての画像や撮影時刻情報を地図画像上に重畳して同時に表示したり、移動端末毎の最新の画像や撮影時刻情報を全て地図画像上に重畳したりして同時に表示している。
【０００３】
一方、移動端末により撮影した画像に撮影時刻情報と撮影位置情報を関連付けて記録する技術が特許文献１から特許文献６に開示されている。例えば、特許文献１によれば、指定された時刻における撮影位置情報を示す記号を地図画像上に重畳して表示している。特許文献２によれば、地図画像上の撮影位置情報を示す記号が選択されると画像を表示する。
【０００４】
また、特許文献３によれば、撮影位置情報を示す記号とその記号の周囲に撮影時刻情報を地図画像上に重畳して表示している。さらに、特許文献４によれば、撮影位置情報を示す記号を地図画像上に重畳して表示し、複数の記号の中から選択された記号に対応する画像と撮影時刻情報を表示している。
【０００５】
さらに、特許文献５によれば、関連付けられた移動端末により撮影された画像を撮影位置情報と撮影時刻情報で管理している。さらに、特許文献６によれば、過去の車両事故の発生時間情報、発生位置情報を記憶しており、指定された期間内に発生した事故の履歴を地図画像上に再現している。
【先行技術文献】
【特許文献】
【０００６】
【特許文献１】特開２００２−３６６５６５号公報
【特許文献２】特開２００３−２０４２９７号公報
【特許文献３】特開２００４−０４８４２７号公報
【特許文献４】特開２００７−１１０６８２号公報
【特許文献５】特開２００８−１６５３７３号公報
【特許文献６】特開平１１−３３９１８３号公報
【発明の概要】
【発明が解決しようとする課題】
【０００７】
しかしながら、上述した従来技術は、指定期間情報内に撮影された全ての画像を同時に表示するため、ユーザにとって各移動端末からの画像と撮影位置情報を撮影時刻情報に沿って把握することが難しいという課題があった。
【０００８】
なお、特許文献１は撮影位置情報を表示する程度であり、撮影された画像を地図画面上に表示することができない。特許文献２は選択された画像を表示する程度であり、地図画像上に画像と撮影位置情報を同時に表示することができない。特許文献３，４は撮影位置情報と撮影時刻情報を表示する程度であり、撮影時刻情報に沿って画像を表示することができない。
【０００９】
また、特許文献５は画像、撮影時間、撮影位置情報を記憶しているが、撮影した画像を地図画像上に表示するものではない。特許文献６は時間と位置を記憶しているが、撮影した画像を地図画像上に表示するものではない。
【００１０】
この発明は、上述した課題を解決するためになされたもので、複数の画像と各画像の撮影位置情報を撮影時刻情報の経過に沿って把握し易く表示する画像記録管理装置を提供することを目的とする。
【課題を解決するための手段】
【００１１】
この発明に係る画像記録管理装置は、撮影時刻情報と撮影位置情報が付加された複数の画像情報（静止画、動画含む）を記憶するとともに地図情報を記憶する記憶手段と、入力された指定時刻を含む指定期間情報を決定する指定期間情報決定部と、指定期間情報決定部からの指定期間情報に基づき記憶手段から画像情報を取得する画像抽出部と、画像抽出部からの画像情報、撮影位置情報、撮影時刻情報を示す撮影履歴付画像を生成する撮影履歴付画像生成部と、画像抽出部からの撮影位置情報に基づき、撮影履歴付画像生成部で生成された撮影履歴付画像の地図上の座標を算出する座標算出部と、指定期間情報決定部に入力された指定時刻と画像抽出部からの撮影時刻情報との差分時間の長さに応じて撮影履歴付画像を表示変更する表示強弱処理部と、座標算出部で算出された地図上の座標に基づいて、記憶手段から地図情報を取得するとともに、表示強弱処理部からの撮影履歴付画像を地図上に重畳して表示させる重畳処理部と、を備えたものである。
【発明の効果】
【００１２】
この発明の画像記録管理装置によれば、上述のように構成したことにより、画像情報と撮影位置情報、撮影時刻情報を示す撮影履歴付画像を撮影時刻に基づく表示に変更して表示することができる。その結果、ユーザにとって複数の画像情報と各画像情報の撮影位置情報を撮影時刻情報の経過に沿って把握し易く表示することができる。
【図面の簡単な説明】
【００１３】
【図１】この発明の実施の形態１の画像記録管理装置の機能的構成を示す図１（ａ）と、この画像記録管理装置を用いた画像記録管理システムの一例を示す図１（ｂ）である。
【図２】この発明の実施の形態１の画像記録管理装置における撮影履歴付画像を示す図である。
【図３ａ】この発明の実施の形態１の画像記録管理装置の処理動作を示すフローチャートである。
【図３ｂ】この発明の実施の形態１の画像記録管理装置の処理動作を示すフローチャートである。
【図４】この発明の実施の形態１の画像記録管理装置における合成画像の一例を示す図である。
【図５】この発明の実施の形態１の画像記録管理装置における合成画像の一例を示す図である。
【図６】この発明の実施の形態２の画像記録管理装置における合成画像生成手段の機能的構成を示す図である。
【図７】この発明の実施の形態２の画像記録管理装置の処理動作を示すフローチャートである。
【図８】この発明の実施の形態２の画像記録管理装置における合成画像の一例を示す図である。
【図９】この発明の実施の形態３の画像記録管理装置における合成画像生成手段の機能的構成を示す図である。
【図１０】この発明の実施の形態３の画像記録管理装置の処理動作を示すフローチャートである。
【図１１】この発明の実施の形態３の画像記録管理装置における合成画像の一例を示す図である。
【図１２】この発明の実施の形態４の画像記録管理装置における合成画像生成手段の機能的構成を示す図である。
【図１３】この発明の実施の形態４の画像記録管理装置の処理動作を示すフローチャートである。
【図１４】この発明の実施の形態４の画像記録管理装置における撮影履歴付画像の一例を示す図である。
【発明を実施するための形態】
【００１４】
以下、この発明の実施の形態を、図面を参照しながら詳細に説明する。
実施の形態１．
図１（ａ）は、画像記録管理装置１０の構成を示しており、図１（ｂ）は、図１（ａ）の画像記録管理装置１０を含む画像記録管理システム１００の構成の概略を示している。画像記録管理システム１００は、図１（ｂ）に示すように、各移動端末１３０から通信網１４０を介して管理センター１１０と通信可能に構成されている。
【００１５】
各移動端末１３０は、図１（ｂ）に示すように、例えばＧＰＳ（Global Positioning System）衛星１２０からの信号により位置を特定するための機能（位置特定機能）、撮影機能、通信機能を有しており、これらの機能を有する携帯電話１３０ａ、デジタルカメラ１３０ｂ、ビデオカメラ１３０ｃ、ＰＤＡ（Personal Digital Assistants）１３０ｄのうちの少なくとも１つ以上で構成されている。
【００１６】
各移動端末１３０は、ユーザからの指示にしたがって対象物を撮影し、撮影した画像に端末情報、撮影位置情報、撮影時刻情報を付加し、通信網１４０を介して管理センター１１０の画像記録管理装置１０へ送信する。端末情報は各移動端末１３０を識別するための固有の情報であり、撮影位置情報は画像撮影時に位置特定機能により取得した現在位置の緯度、経度、高度を示す情報であり、撮影時刻情報は画像を撮影した年月日と時刻を示す情報である。なお、各移動端末１３０によって撮影される画像は、静止画、動画のいずれでも良い。
【００１７】
管理センター１１０には、画像記録管理装置１０と表示装置３０が備えられており、画像記録管理装置１０が各移動端末１３０からの画像情報を入力して記憶し、ユーザからの要求にしたがって地図上に画像情報を含む撮影履歴付画像を合成した合成画像を表示装置３０に出力して表示する。
【００１８】
画像記録管理装置１０は、図１（ａ）に示すように、通信手段１１、記憶手段１２、合成画像生成手段１３を備えている。通信手段１１は、各移動端末１３０から通信網１４０を介して画像情報を受信して入力するよう機能する。
【００１９】
記憶手段１２は、地図情報１２ａと複数の画像情報１２ｂを記憶するよう機能する。画像情報１２ｂには端末情報と撮影時刻情報と撮影位置情報が付加されている。記憶手段１２は、例えば、データベース等で構成され、画像情報１２ｂに付加された端末情報、撮影時刻情報、撮影位置情報をキーにして、高速に画像の検索、抽出ができるよう構成されている。
【００２０】
合成画像生成手段１３は、指定期間決定部１４ａ、指定時刻更新部１４ｂ、画像抽出部１５、撮影履歴付画像生成部１６、座標算出部１７、表示変更処理部１８、重畳処理部１９で構成されており、ユーザからの指示にしたがって表示装置３０に表示する合成画像を生成するよう機能する。合成画像生成手段１３は、例えば、予め記憶されたプログラムにより指定期間決定部１４ａ、画像抽出部１５、撮影履歴付画像生成部１６、座標算出部１７、表示変更処理部１８、重畳処理部１９を構成し、後述する処理動作を行う。
【００２１】
指定期間決定部１４ａは、入力した指定時刻に基づき、指定時刻を含む所定の指定期間情報を決定するよう機能する。指定期間決定部１４ａは、例えば、ユーザから指定時刻を入力すると、入力した指定時刻に基づき指定時刻の日付の前日から指定時刻の日付までを指定期間情報として決定して出力する。また、指定期間決定部１４ａは、例えば、指定時刻更新部１４ｂで更新された指定時刻を入力すると、入力した指定時刻に基づき指定時刻の日付の前日から指定時刻の日付までを指定期間情報として決定して出力する。
【００２２】
なお、指定期間決定部１４ａは、指定時刻を含む日付の前日から指定時刻の日付までを指定期間情報としているが、ユーザが任意に指定できるよう構成しても良い。その場合、指定期間決定部１４ａは、入力された指定時刻情報の日付を含み、任意に指定された日前から任意に指定された日後までを指定期間情報として決定する。
【００２３】
指定時刻更新部１４ｂは、外部から設定された倍速（通常再生、早送り、巻き戻し）で指定時刻を更新するよう機能する。指定期間決定部１４ａは、例えば、重畳処理部１９により指定期間情報内の全ての撮影履歴付画像を地図上に重畳すると、ユーザにより指定された通常再生（１倍）、早送り（例えば、２倍〜１００倍）、巻き戻し（例えば、−１倍〜−１００倍）の倍速に基づき指定時刻を１秒単位で更新し、更新した指定時刻を指定期間決定部１４ａへ出力する。
【００２４】
画像抽出部１５は、指定期間決定部１４ａからの指定期間情報と記憶手段１２に記憶された画像情報１２ｂの撮影時刻情報に基づき、撮影時刻が指定期間情報内である画像情報１２ｂを記憶手段１２から取得するよう機能する。画像抽出部１５は、例えば、指定期間決定部１４ａからの指定期間情報と記憶手段１２に記憶された画像情報１２ｂの撮影時刻情報に基づき、指定時刻を含む日付の前日から指定時刻の日付までの指定期間情報内に撮影された画像の画像情報１２ｂを記憶手段１２から取得する。
【００２５】
また、画像抽出部１５は、指定期間決定部１４ａが更新前の指定時刻の日付から更新後の指定時刻の日付までに撮影された画像情報１２ｂを記憶手段１２から取得するよう機能する。
【００２６】
撮影履歴付画像生成部１６は、端末記号生成部１６ａ、画像表示生成部１６ｂ、日時表示生成部１６ｃ、矢印線生成部１６ｄで構成されており、画像情報１２ｂに付加された端末情報、撮影時刻情報、撮影位置情報に基づき撮影履歴付画像（端末記号、時刻表示ウィンドウ、画像表示ウィンドウ、矢印線）を生成するよう機能する。
【００２７】
端末記号生成部１６ａは、画像情報１２ｂに付加された端末情報に基づき移動端末別の端末記号を生成するよう機能する。端末記号生成部１６ａは、例えば、移動端末毎の端末記号が予め設定されており、画像情報１２ｂに付加された端末情報に基づき、端末情報に記載された移動端末１３０に対応する端末記号を生成し、識別しやすくして出力する。
【００２８】
画像表示生成部１６ｂは、画像情報１２ｂの画像を枠に当て嵌めて表示する画像表示ウィンドウを生成するよう機能する。画像表示生成部１６ｂは、例えば、画像情報１２ｂを入力すると、予め記憶された枠内に画像を当て嵌めて画像表示ウィンドウを生成して出力する。なお、画像表示生成部１６ｂは、画像情報１２ｂが動画像である場合、指定時刻と撮影時刻情報に基づき、指定時刻に対応する撮影時刻におけるフレーム画像を表示する。
【００２９】
日時表示生成部１６ｃは、画像情報１２ｂの画像が撮影された日時を表示する日時表示ウィンドウを生成して出力する。日時表示生成部１６ｃは、例えば、画像情報１２ｂに付加された撮影時刻情報に基づき、予め記憶された枠内に画像が撮影された日時を表示する日時表示ウィンドウを生成して出力する。
【００３０】
矢印線生成部１６ｄは、同じ種類の端末記号間を結ぶ線で撮影時刻情報の時間経過を示す矢印線を生成するよう機能する。矢印線生成部１６ｄは、例えば、画像情報１２ｂに付加された撮影位置情報に基づき、端末記号生成部１６ａからの端末記号と直前に生成された同じ種類の端末記号を結ぶ矢印付きの線を矢印線として生成して出力する。なお、矢印線生成部１６ｄは、直前に生成された同じ種類の端末記号が存在しない場合、矢印線を生成しない。
【００３１】
座標算出部１７は、画像情報１２ｂに付加された撮影位置情報に基づき、撮影履歴付画像生成部１６で生成された撮影履歴付画像の地図上の座標を算出し、撮影履歴付画像を構成する端末記号、時刻表示ウィンドウ、画像表示ウィンドウ、矢印線にそれぞれ地図上の座標を付加するよう機能する。座標算出部１７は、例えば、画像情報１２ｂに付加された撮影位置情報に基づき、撮影履歴付画像を構成する端末記号、時刻表示ウィンドウ、画像表示ウィンドウ、矢印線の地図上の各座標を算出し、算出した座標を端末記号、時刻表示ウィンドウ、画像表示ウィンドウ、矢印線にそれぞれ付加する。
【００３２】
表示変更処理部１８は、表示強弱処理部１８ａで構成されており、撮影履歴付画像を構成する端末記号、時刻表示ウィンドウ、画像表示ウィンドウ、矢印線に対して表示変更を行うよう機能する。
【００３３】
表示強弱処理部１８ａは、指定期間決定部１４ａからの指定時刻と上記画像抽出部１５からの撮影時刻情報に基づき、指定時刻と撮影時刻情報との差分時間の長さに応じて撮影履歴付画像の表示の濃淡を変更するよう機能する。表示強弱処理部１８ａは、例えば、指定期間決定部１４ａからの指定時刻と上記画像抽出部１５からの撮影時刻情報に基づき、撮影履歴付画像を構成する端末記号、時刻表示ウィンドウ、画像表示ウィンドウ、矢印線の濃淡を変更し、撮影時刻情報が同じ日付の撮影履歴付画像を同じ濃淡の表示にする。表示強弱処理部１８ａは、撮影時刻情報の日付が指定時刻の日付である場合（指定時刻の日付＝撮影時刻情報の日付）、撮影履歴付画像を濃くして強表示とする処理を行い、撮影時刻情報の日付が指定時刻の日付よりも前（過去）の日付である場合（指定時刻の日付＞撮影時刻情報の日付）、撮影履歴付画像に対して淡くして薄表示とする処理を行う。
【００３４】
表示強弱処理部１８ａにおける強弱処理は、例えば、薄表示とする処理は撮影履歴付画像の全体を段階的に淡くしたり、記号やウィンドウの枠を細線にしたりする処理であり、強表示とする処理は撮影履歴付画像の全体を段階的に濃くしたり、撮影履歴付画像の記号やウィンドウの枠を太線にしたりする処理である。なお、表示強弱処理部１８ａは、撮影時刻情報の日付と指定時刻の日付の差分が所定の日数を超えると撮影履歴付画像を消去する。
【００３５】
また、表示強弱処理部１８ａは、指定時刻の日付と撮影履歴付画像に含まれる撮影時刻情報の日付の差分に応じて強弱処理を行い、撮影履歴付画像の表示の濃淡を段階的に変更するよう機能する。表示強弱処理部１８ａは、例えば、指定時刻の日付と撮影履歴付画像に含まれる撮影時刻情報の日付の差分が所定日数内であるかを判定して、所定日数内であれば撮影履歴付画像を段階的に淡くして薄表示にするよう処理し、所定日数を超えた撮影履歴付画像を消去する。なお、表示強弱処理部１８ａは、撮影時刻情報が指定時刻の日付に達していない撮影履歴付画像を薄表示から段階的に濃くして強表示し、撮影時刻情報が指定時刻の日付に達した後から撮影履歴付画像を段階的に薄表示にするよう構成しても良い。
【００３６】
さらに、表示強弱処理部１８ａは、ユーザにより指定された撮影履歴付画像を表示ロック情報として記憶しており、指定時刻の日付と撮影履歴付画像に含まれる撮影時刻情報の日付の差分が所定日数を超えた場合、表示ロック情報に基づき、指定されていない撮影履歴付画像を消去するよう機能する。表示強弱処理部１８ａは、例えば、合成画像として表示中の撮影履歴付画像がユーザにより指定されると、指定された撮影履歴付画像を表示ロック情報として記憶する。表示強弱処理部１８ａは、表示ロック情報に基づき、撮影履歴付画像が表示ロックの対象であると判定した場合、指定時刻の日付と撮影履歴付画像に含まれる撮影時刻情報の日付の差分が所定日数を超えた場合、指定された撮影履歴付画像を消去せずに引き続き表示し、指定されていない撮影履歴付画像を消去する。表示ロック情報は、図示しない入力手段によりユーザから指定された撮影履歴付画像を示す情報である。
【００３７】
重畳処理部１９は、撮影履歴付画像を構成する端末記号、時刻表示ウィンドウ、画像表示ウィンドウ、矢印線の座標に基づき、地図画像上に撮影履歴付画像を重畳処理して合成画像を出力するよう機能する。重畳処理部１９は、例えば、撮影履歴付画像生成部１６から撮影履歴付画像を入力すると、撮影履歴付画像を構成する端末記号、時刻表示ウィンドウ、画像表示ウィンドウ、矢印線に付加された座標と記憶手段１２の地図情報１２ａに基づき、地図情報１２ａに含まれる地図画像上に撮影履歴付画像を重畳処理して合成画像を出力する。
【００３８】
また、重畳処理部１９は、撮影履歴付画像を重畳処理した際に、重畳済みの他の撮影履歴付画像と重なる部分が有る場合、撮影履歴付画像の座標を変更して表示位置をずらすよう機能する。重畳処理部１９は、例えば、撮影履歴付画像が重畳済みの他の撮影履歴付画像と重なる部分が有るかを判定する。重畳処理部１９は、撮影履歴付画像が重畳済みの他の撮影履歴付画像と重なる部分が無いと判定した場合は上述のように重畳し、撮影履歴付画像が重畳済みの他の撮影履歴付画像と重なる部分が有ると判定した場合（重なっている場合）は、撮影履歴付画像の座標を変更して表示位置をずらして重ならないよう移動処理を行う。
【００３９】
次に、画像記録管理装置１０における撮影履歴付画像について説明する。図２は、実施の形態１の画像記録管理装置１０における撮影履歴付画像２００の一例を示している。
撮影履歴付画像２００は、図２に示すように、端末記号２００ａ、日時表示ウィンドウ２００ｂ、画像表示ウィンドウ２００ｃ、画像２００ｄ、矢印線２００ｅで構成されている。
【００４０】
端末記号２００ａは、各移動端末１３０に対応する記号で構成され（図２においては○）、移動端末１３０の位置を表示している。日時表示ウィンドウ２００ｂは、予め記憶された大きさの枠内に画像２００ｄの撮影時刻情報「２００９／１０／０２／１２：００：００」を表示するよう構成されている。画像表示ウィンドウ２００ｃは、予め記憶された大きさの枠内に画像２００ｄを当て嵌めて表示するよう構成されている。矢印線２００ｅは、端末記号生成部１６ａからの端末記号２００ａと直前に生成された同じ種類の端末記号２００ａ´を結ぶ矢印付きの線で構成されており、撮影時刻情報の時間及び位置の経過を示している。
【００４１】
なお、撮影履歴付画像２００は、合成画像として表示中に、ユーザからの表示ロック指示に基づいて撮影履歴付画像２００が指定されると、撮影履歴付画像２００に含まれる画像２００ｄの撮影時刻情報の日付と指定時刻の日付との差分が所定の日数を超えた場合でも表示が維持されて表示をロックし、消去されない。
【００４２】
次に、実施の形態１の画像記録管理装置１０の処理動作について図３ａと図３ｂのフローチャートを用いて説明する。
【００４３】
画像記録管理装置１０の記憶手段１２は、通信手段１１を介して各移動端末１３０で撮影された画像を入力して複数の画像情報１２ｂを記憶している。合成画像生成手段１３の指定期間決定部１４ａは、ユーザから指定された時刻（指定時刻）を入力すると、入力した指定時刻に基づき指定時刻を含む日付の、例えば前日から指定時刻の日付まで（指定時刻の日の前日〜指定時刻の日）を指定期間情報として決定して出力する（ステップＳＴ１０１）。なお、ここで、指定期間は、指定時刻の日の前日〜指定時刻の日に限らず、設定により変更することができる。
【００４４】
画像抽出部１５は、指定期間決定部１４ａから指定期間情報を入力すると、入力した指定期間情報に基づき、指定期間内に撮影された画像の画像情報１２ｂを記憶手段１２から抽出して取得する（ステップＳＴ１０２）。
【００４５】
撮影履歴付画像生成部１６の端末記号生成部１６ａは、画像抽出部１５から画像情報１２ｂを取得すると、画像情報１２ｂに付加された端末情報に基づき、端末情報に記載された移動端末１３０に対応する端末記号２００ａを生成して出力する（ステップＳＴ１０３）。
【００４６】
画像表示生成部１６ｂは、端末記号生成部１６ａにおけるステップＳＴ１０３の処理に続いて、画像情報１２ｂに基づく画像２００ｄを予め記憶された枠に当て嵌めて画像表示ウィンドウ２００ｃを生成して出力する（ステップＳＴ１０４）。
【００４７】
日時表示生成部１６ｃは、画像表示生成部１６ｂにおけるステップＳＴ１０４の処理に続いて、画像情報１２ｂに付加された撮影時刻情報に基づき、予め記憶された枠内に日時を表示する日時表示ウィンドウ２００ｂを生成して出力する（ステップＳＴ１０５）。
【００４８】
矢印線生成部１６ｄは、日時表示生成部１６ｃにおけるステップＳＴ１０５の処理に続いて、端末記号２００ａの直前に生成された同じ種類の端末記号２００ａ´が作成されているかいないかを確認し、矢印線の要否を判定する。
【００４９】
矢印線生成部１６ｄは、同じ種類の端末記号２００ａ´が作成されており、矢印線２００ｅが必要であると判定した場合、画像２００ｄの撮影位置情報と画像２００ｄ´の撮影位置情報に基づき、端末記号２００ａと直前に生成された同じ種類の端末記号２００ａ´を結ぶ矢印付きの線を矢印線２００ｅとして生成して出力する（ステップＳＴ１０６）。
【００５０】
なお、矢印線生成部１６ｄは、端末記号２００ａ´が作成されておらず、矢印線２００ｅが必要でないと判定した場合、矢印線２００ｅを作成せず次の処理へ進む。
【００５１】
座標算出部１７は、端末記号生成部１６ａ、画像表示生成部１６ｂ、日時表示生成部１６ｃ、矢印線生成部１６ｄにおけるステップＳＴ１０３からステップＳＴ１０６の処理が終わると、画像情報１２ｂに付加された撮影位置情報に基づき、撮影履歴付画像２００を構成する端末記号２００ａ、時刻表示ウィンドウ２００ｂ、画像表示ウィンドウ２００ｃ、矢印線２００ｅの地図上の各座標をそれぞれ算出し、算出した座標を端末記号２００ａ、時刻表示ウィンドウ２００ｂ、画像表示ウィンドウ２００ｃ、矢印線２００ｅにそれぞれ付加する（ステップＳＴ１０７）。
【００５２】
表示強弱処理部１８ａは、座標算出部１７から撮影履歴付画像２００を入力すると、指定期間決定部１４ａから入力した指定時刻と撮影履歴付画像２００の画像情報１２ｂに付加された撮影時刻情報に基づき、撮影時刻情報の日付が指定時刻の日付よりも前（過去）の日付（指定時刻の日付＞撮影時刻情報の日付）であるかを判定する（ステップＳＴ１０８）。
【００５３】
表示強弱処理部１８ａは、ステップＳＴ１０８において、撮影時刻情報の日付が指定時刻の日付よりも前（過去）の日付であると判定した場合（ステップＳＴ１０８“ＹＥＳ”）、撮影履歴付画像２００を構成する端末記号２００ａ、時刻表示ウィンドウ２００ｂ、画像表示ウィンドウ２００ｃ、矢印線２００ｅを淡い薄表示とする処理を行う（ステップＳＴ１０９）。
【００５４】
表示強弱処理部１８ａは、ステップＳＴ１０８において、撮影時刻情報の日付が指定時刻の日付よりも前（過去）の日付でないと判定した場合（ステップＳＴ１０８“ＮＯ”）、指定時刻の日付と撮影時刻情報の日付が同じである（指定時刻の日付＝撮影時刻情報の日付）と判断して（ステップＳＴ１１０）撮影履歴付画像２００を構成する端末記号２００ａ、時刻表示ウィンドウ２００ｂ、画像表示ウィンドウ２００ｃ、矢印線２００ｅを濃い強表示にする処理を行う（ステップＳＴ１１１）。
【００５５】
重畳処理部１９は、表示強弱処理部１８ａにおけるステップＳＴ１０９またはステップＳＴ１１１の強弱処理が終わると、強弱処理後の撮影履歴付画像２００を入力し、撮影履歴付画像２００を構成する端末記号２００ａ、時刻表示ウィンドウ２００ｂ、画像表示ウィンドウ２００ｃ、矢印線２００ｅに付加された座標に基づき、座標記憶手段１２の地図情報１２ａに含まれる地図上に撮影履歴付画像２００を重畳処理して合成画像を出力する（ステップＳＴ１１２）。
【００５６】
重畳処理部１９は、ステップＳＴ１１２の処理で地図上に重畳した撮影履歴付画像２００が重畳済みの他の撮影履歴付画像と重なる部分が有るかを判定する（ステップＳＴ１１３）。重畳処理部１９は、ステップＳＴ１１３において撮影履歴付画像２００が重畳済みの他の撮影履歴付画像と重なる部分が無いと判定した場合（ステップＳＴ１１３“ＮＯ”）、ステップＳＴ１１５の処理へ進む。
【００５７】
一方、重畳処理部１９は、ステップＳＴ１１３において撮影履歴付画像２００が重畳済みの他の撮影履歴付画像と重なる部分が有ると判定した場合（ステップＳＴ１１３“ＹＥＳ”）、撮影履歴付画像２００の座標を変更して表示位置をずらす（ステップＳＴ１１４）。
【００５８】
撮影履歴付画像生成部１６では、重畳処理部１９においてステップＳＴ１１３“ＮＯ”またはステップＳＴ１１４の処理が終わると、画像抽出部１５で取得した画像情報１２ｂの有無を確認して次の画像情報１２ｂが無いか判定する（ステップＳＴ１１５）。撮影履歴付画像生成部１６の端末記号生成部１６ａは、ステップＳＴ１１５において、次の画像情報１２ｂが有ると判定した場合（ステップＳＴ１１５“ＮＯ”）、次の画像情報１２ｂを画像抽出部１５から入力し、ステップＳＴ１０３からの処理を行う。
【００５９】
表示強弱処理部１８ａは、撮影履歴付画像生成部１６のステップＳＴ１１５において、次の画像情報１２ｂが無いと判定された場合（ステップＳＴ１１５“ＹＥＳ”）、合成画像として表示中の撮影履歴付画像を順番に取得する（ステップＳＴ１１６）。表示強弱処理部１８ａは、ステップＳＴ１１６において撮影履歴付画像２００を取得すると、指定時刻の日付と撮影履歴付画像２００に含まれる画像の撮影時刻情報の日付の差分が所定日数内であるか（指定時刻の日付−撮影時刻情報の日付＜所定日数）を判定する（ステップＳＴ１１７）。
【００６０】
表示強弱処理部１８ａは、ステップＳＴ１１７において、指定時刻の日付と撮影時刻情報の日付の差分が所定日数内であると判定した場合（ステップＳＴ１１７“ＹＥＳ”）、撮影履歴付画像２００を構成する端末記号２００ａ、時刻表示ウィンドウ２００ｂ、画像表示ウィンドウ２００ｃ、矢印線２００ｅの表示を淡くして薄表示とする処理を行って（ステップＳＴ１１８）、ステップＳＴ１２１の処理へ進む。
【００６１】
一方、表示強弱処理部１８ａは、ステップＳＴ１１７において、指定時刻の日付と撮影時刻情報の日付の差分が所定日数を超えたと判定した場合（ステップＳＴ１１７“ＮＯ”）、記憶した表示ロック情報に基づき、撮影履歴付画像２００が表示ロックの対象であるかを判定する（ステップＳＴ１１９）。
【００６２】
表示強弱処理部１８ａは、ステップＳＴ１１９において、撮影履歴付画像２００が表示ロックの対象であると判定した場合（ステップＳＴ１１９“ＹＥＳ”）、所定日数を超えた撮影履歴付画像を引き続き表示するよう維持して表示ロックを行い（ステップＳＴ１２０）、ステップＳＴ１２１の処理へ進む。
【００６３】
表示強弱処理部１８ａは、ステップＳＴ１１９において、撮影履歴付画像２００が表示ロックの対象でないと判定した場合（ステップＳＴ１１９“ＮＯ”）、撮影履歴付画像２００を消去して（ステップＳＴ１２２）、ステップＳＴ１２５の処理へ進む。
【００６４】
重畳処理部１９は、表示強弱処理部１８ａにおけるステップＳＴ１１８またはステップＳＴ１２０の処理が終わると、表示強弱処理部１８ａから撮影履歴付画像２００を入力し、撮影履歴付画像２００を構成する端末記号２００ａ、時刻表示ウィンドウ２００ｂ、画像表示ウィンドウ２００ｃ、矢印線２００ｅに付加された座標に基づき、座標記憶手段１２の地図情報１２ａに含まれる地図上に撮影履歴付画像２００を重畳処理して合成画像を出力する（ステップＳＴ１２１）。
【００６５】
重畳処理部１９は、ステップＳＴ１２１の処理で地図上に重畳した撮影履歴付画像２００が重畳済みの他の撮影履歴付画像と重なる部分が有るかを判定する（ステップＳＴ１２３）。重畳処理部１９は、ステップＳＴ１２３において撮影履歴付画像２００が重畳済みの他の撮影履歴付画像２００と重なる部分が無いと判定した場合（ステップＳＴ１２３“ＮＯ”）、ステップＳＴ１２５の処理へ進む。
【００６６】
一方、重畳処理部１９は、ステップＳＴ１２３において撮影履歴付画像２００が重畳済みの他の撮影履歴付画像２００と重なる部分が有ると判定した場合（ステップＳＴ１２３“ＹＥＳ”）、撮影履歴付画像２００の座標を変更して表示位置をずらす（ステップＳＴ１２４）。
【００６７】
表示強弱処理部１８ａは、重畳処理部１９においてステップＳＴ１２３“ＮＯ”またはステップＳＴ１２４の処理が終わると、次の撮影履歴付画像２００の有無を判定し（ステップＳＴ１２５）、次の撮影履歴付画像２００が有ると判定した場合（ステップＳＴ１２５“ＮＯ”）、ステップＳＴ１１７からの処理を繰り返す。
【００６８】
表示強弱処理部１８ａは、ステップＳＴ１２５において、次の撮影履歴付画像２００が無いと判定した場合（ステップＳＴ１２５“ＹＥＳ”）、取得した全ての撮影履歴付画像２００の処理が終了したことを指定時刻更新部１４ｂへ通知する。
【００６９】
指定時刻更新部１４ｂは、表示強弱処理部１８ａから取得した全ての撮影履歴付画像２００の処理が終了した通知を受けると、現在の指定時刻に１秒を加えて（指定時刻＝指定時刻＋１秒）指定時刻を更新する（ステップＳＴ１２６）。なお、指定時刻更新部１４ｂは、ステップＳＴ１２６において、現在の指定時刻に１秒を加える処理を行っているが、１秒に限られるものではなく、指定時刻の更新間隔は任意に設定されるものである。また、ステップＳＴ１２６において巻き戻し再生する場合は、現在時刻から減算して指定時刻を更新する。
【００７０】
指定時刻更新部１４ｂは、ステップＳＴ１２６の処理に続いて、合成画像の表示処理を終了する指示を入力したかを判定する（ステップＳＴ１２７）。
【００７１】
指定時刻更新部１４ｂは、ステップＳＴ１２７において、合成画像の表示処理を終了する指示を入力したと判定した場合（ステップＳＴ１２７“ＹＥＳ”）、指定時刻の更新を行わず、合成画像生成手段１３の処理が終了する（エンド）。
【００７２】
一方、画像抽出部１５は、指定時刻更新部１４ｂのステップＳＴ１２７で合成画像の表示処理を終了する指示を入力していないと判定した場合（ステップＳＴ１２７“ＮＯ”）、更新前の指定時刻から更新後の指定時刻までの１秒間に撮影された更新分の画像情報１２ｂを取得し（ステップＳＴ１２８）、更新分の画像情報１２ｂに対してステップＳＴ１０３からの処理を繰り返す。
【００７３】
ここで、実施の形態１の具体的な合成画像の表示の一例について図４と図５を用いて説明する。
図４は、実施の形態１の画像記録管理装置１０において指定された指定時刻から再生した直後の表示を示している。図５は、実施の形態１の画像記録管理装置１０において指定された指定時刻が更新され指定時刻の日付が変わった後の表示を示している。
【００７４】
図４，５においては、指定時刻の日付に撮影された画像の撮影履歴付画像を１段階濃くし、前日に撮影された画像の撮影履歴付画像を１段階淡くし、２日前に撮影された画像の撮影履歴付画像を消去するよう設定されているものとして説明する。なお、図４，５は説明のため、実際には表示していない撮影履歴付画像を破線で示している。
【００７５】
合成画像Ａは、指定時刻「２００９／１０／０２／１２：００：００」に基づく指定期間情報「２００９／１０／０１／００：００：００〜２００９／１０／０２／２３：５９：５９」に撮影された画像の撮影履歴付画像を表示するものであり、図４に示すように、撮影履歴付画像２０１，２０２，３０１，３０２，３０３が地図上に重畳されて表示されている。
【００７６】
撮影履歴付画像２０１は、端末記号２０１ａ、時刻表示ウィンドウ２０１ｂ、画像表示ウィンドウ２０１ｃで構成されている。時刻表示ウィンドウ２０１ｂには撮影時刻情報「２００９／１０／０１／１２：００：００」を表示しており、画像表示ウィンドウ２０１ｃには撮影時刻情報「２００９／１０／０１／１２：００：００」に撮影された静止画像２０１ｄを表示している。
【００７７】
撮影履歴付画像２０１は、画像２０１ｄが指定時刻「２００９／１０／０２／１２：００：００」の日付「２００９／１０／０２」の１日前に撮影されているため（指定時刻の日付＞撮影時刻情報の日付）、表示強弱処理部１８ａの強弱処理により淡い薄表示になっている。
【００７８】
撮影履歴付画像２０２は、端末記号２０２ａ、時刻表示ウィンドウ２０２ｂ、画像表示ウィンドウ２０２ｃで構成されている。時刻表示ウィンドウ２０２ｂには撮影時刻情報「２００９／１０／０１／１３：３０：００」を表示しており、画像表示ウィンドウ２０２ｃには撮影時刻情報「２００９／１０／０１／１３：３０：００」に撮影された静止画像２０２ｄを表示している。
【００７９】
撮影履歴付画像２０２は、画像２０２ｄが指定時刻「２００９／１０／０２／１２：００：００」の日付「２００９／１０／０２」の１日前に撮影されているため（指定時刻の日付＞撮影時刻情報の日付）、表示強弱処理部１８ａの強弱処理により淡い薄表示になっている。
【００８０】
撮影履歴付画像３０１は、端末記号３０１ａ、時刻表示ウィンドウ３０１ｂ、画像表示ウィンドウ３０１ｃ、矢印線３０１ｅで構成されている。時刻表示ウィンドウ３０１ｂには撮影時刻情報「２００９／１０／０２／１２：００：００」を表示しており、画像表示ウィンドウ３０１ｃには撮影時刻情報「２００９／１０／０２／１２：００：００」に撮影された静止画像３０１ｄを表示している。矢印線３０１ｅは、同じ種類の端末記号２０１ａから端末記号３０１ａまでを結んでいる。
【００８１】
撮影履歴付画像３０１は、静止画像３０１ｄが指定時刻「２００９／１０／０２／１２：００：００」の日付「２００９／１０／０２」と同日に撮影されているため（指定時刻の日付＝撮影時刻情報の日付）、表示強弱処理部１８ａの強弱処理により濃い強表示になっている。
【００８２】
撮影履歴付画像３０２は、端末記号３０２ａ、時刻表示ウィンドウ３０２ｂ、画像表示ウィンドウ３０２ｃ、矢印線３０２ｅで構成されている。時刻表示ウィンドウ３０２ｂには撮影時刻情報「２００９／１０／０２／１３：３０：００」を表示しており、画像表示ウィンドウ３０２ｃには撮影時刻情報「２００９／１０／０２／１３：３０：００」に撮影された静止画像３０２ｄを表示している。矢印線３０２ｅは、同じ種類の端末記号２０２ａから端末記号３０２ａまでを結んでいる。
【００８３】
撮影履歴付画像３０２は、静止画像３０２ｄが指定時刻「２００９／１０／０２／１２：００：００」の日付「２００９／１０／０２」と同日に撮影されているため（指定時刻の日付＝撮影時刻情報の日付）、表示強弱処理部１８ａの強弱処理により濃い強表示になっている。
【００８４】
撮影履歴付画像３０３は、端末記号３０３ａ、時刻表示ウィンドウ３０３ｂ、画像表示ウィンドウ３０３ｃで構成されている。時刻表示ウィンドウ３０３ｂには撮影時刻情報「２００９／１０／０２／１４：００：００」を表示しており、画像表示ウィンドウ３０３ｃには撮影時刻情報「２００９／１０／０２／１４：００：００」に撮影された動画像３０３ｄを表示している。
【００８５】
撮影履歴付画像３０３は、動画像３０３ｄが指定時刻「２００９／１０／０２／１２：００：００」の日付「２００９／１０／０２」と同日に撮影されているため（指定時刻の日付＝撮影時刻情報の日付）、表示強弱処理部１８ａの強弱処理により濃い強表示になっている。
【００８６】
合成画像Ａは、指定時刻「２００９／１０／０２／１２：００：００」には画像表示ウィンドウ３０１ｃに静止画像３０１ｄを表示し、指定時刻「２００９／１０／０２／１２：００：００」から指定された倍速で指定時刻が更新されると、指定時刻「２００９／１０／０２／１３：３０：００」には画像表示ウィンドウ３０２ｃに静止画像３０２ｄを表示し、指定時刻「２００９／１０／０２／１４：００：００」には画像表示ウィンドウ３０３ｃに動画像３０３ｄを表示して再生する。
【００８７】
合成画像Ｂは、指定時刻「２００９／１０／０３／００：００：００」に基づく指定期間情報「２００９／１０／０２／００：００：００〜２００９／１０／０３／２３：５９：５９」に撮影された画像の撮影履歴を表示するものであり、図５に示すように、撮影履歴付画像３０１，３０２，３０３，４０２，４０３が地図画像上に重畳されて表示されている。
【００８８】
合成画像Ｂでは、指定時刻「２００９／１０／０２／２３：５９：５９」から指定時刻「２００９／１０／０３／００：００：００」に更新された際に、図５に示すように、指定時刻「２００９／１０／０３／００：００：００」の日付「２００９／１０／０３」の２日前に撮影された画像の撮影履歴付画像２０１，２０２が消去されている。
【００８９】
また、合成画像Ｂでは、図５に示すように、指定時刻「２００９／１０／０３／００：００：００」の日付「２００９／１０／０３」の１日前に撮影された画像の撮影履歴付画像３０１，３０２，３０３に対して強弱処理が行われており、撮影履歴付画像３０１，３０２，３０３が淡い薄表示で表示されている。
【００９０】
さらに、合成画像Ｂでは、図５に示すように、指定時刻「２００９／１０／０３／００：００：００」の日付「２００９／１０／０３」と同日に撮影された画像の撮影履歴付画像４０２（端末記号４０２ａ、時刻表示ウィンドウ４０２ｂ、画像表示ウィンドウ４０２ｃ、矢印線４０２ｅ）、撮影履歴付画像４０３（端末記号４０３ａ、時刻表示ウィンドウ４０３ｂ、画像表示ウィンドウ４０３ｃ、矢印線４０３ｅ）に対して強弱処理が行われており、撮影履歴付画像４０２，４０３が濃い強表示で表示されている。
【００９１】
このように、画像記録管理装置１０は、図４と図５で示したように、指定時刻と同日に撮影された画像の撮影履歴付画像を濃い強表示に表示変更し、１日前（過去）に撮影された画像の撮影履歴付画像を淡い薄表示で表示変更し、２日前（所定期間外）に撮影された画像の撮影履歴付画像を消去しており、過去の画像情報を時間の経過にしたがって段階的に薄くして所定期間を超えると消えるように表示する。一方、表示ロックされた撮影履歴付画像は表示ロックを解除するまで消去されずに引き続き表示される。なお、ここでは、日付毎に表示変更する処理について説明しているが、例えば任意に設定された時間毎に表示変更するように処理するなど、表示変更する処理の間隔は変更可能である。
【００９２】
以上のように、実施の形態１によれば、画像記録管理装置１０は、複数の移動端末１３０により撮影され撮影時刻情報と撮影位置情報が付加された複数の画像情報１２ｂ（静止画または動画）を通信手段１１を介して入力して記憶するとともに地図情報を記憶する記憶手段１２と、外部から入力された指定時刻を含む指定期間情報を決定する指定期間決定部１４ａと、指定期間決定部１４ａからの指定期間情報と記憶手段１２の撮影時刻情報に基づき指定期間情報内の撮影時刻情報が付加されている画像情報１２ｂを記憶手段１２から取得する画像抽出部１５と、画像抽出部１５からの画像情報１２ｂ、その画像情報１２ｂの撮影位置情報、その画像情報１２ｂの撮影時刻情報に基づき、撮影履歴付画像２００を生成する撮影履歴付画像生成部１６と、画像情報１２ｂの撮影位置情報に基づき撮影履歴付画像生成部１６からの撮影履歴付画像２００の地図上の座標を算出する座標算出部１７と、指定期間決定部１４ａに入力された指定時刻と画像抽出部１５からの撮影時刻情報に基づき撮影履歴付画像２００を濃い強表示または淡い薄表示に表示変更を行う表示強弱処理部１８ａと、上記座標算出部１７で算出された地図上の座標に基づいて、上記記憶手段１２から地図情報を取得するとともに、上記表示強弱処理部１８ａからの撮影履歴付画像２００を地図上に重畳して合成画像を表示させる重畳処理部１９とを備えるよう構成したので、画像情報と撮影位置情報、撮影時刻情報を示す撮影履歴付画像を撮影時刻に基づく表示に変更して表示することができる。その結果、ユーザにとって複数の画像と各画像の撮影位置情報を撮影時刻情報の経過に沿って把握し易く表示することができる。
【００９３】
また、実施の形態１によれば、画像記録管理装置１０は、重畳処理部１９で指定期間内の全ての撮影履歴付画像２００が地図上に重畳されると、指定時刻を更新して指定期間決定部１４ａへ出力する指定時刻更新部１４ｂを備えたので、入力された指定時刻からの時間経過に沿って撮影履歴付画像２００を表示することができる。その結果、同様の効果が得られる。
【００９４】
さらに、実施の形態１によれば、画像記録管理装置１０は、ユーザにより指定された撮影履歴付画像２００を表示ロック情報として記憶しており、指定時刻の日付と撮影履歴付画像２００に含まれる撮影時刻情報の日付の差分が所定日数を超えた場合、表示ロック情報に基づき、表示ロックの対象として指定されている撮影履歴付画像２００を引き続き表示し、表示ロックの対象として指定されていない撮影履歴付画像２００を消去する表示強弱処理部１８ａを備えるよう構成したので、指定期間外になった撮影履歴付画像２００から、ユーザが必要な撮影履歴付画像２００の表示を維持することができる。その結果、表示期間外になった過去の時刻の画像と表示されている時刻の画像を見比べることができるという効果が得られる。
【００９５】
実施の形態２．
実施の形態１においては、撮影履歴付画像に対して強弱処理を行い、撮影履歴付画像を強表示、薄表示する構成について説明したが、実施の形態２は、実施の形態１の強弱処理に加えて撮影履歴付画像の表示色の色分けする構成について説明する。
【００９６】
図６は、実施の形態２の画像記録管理装置１０における合成画像生成手段１３の機能的構成を示している。図６においては、実施の形態１の合成画像生成手段１３の表示変更処理部１８の構成に表示色処理部１８ｂを加えたものであり、図１（ａ）と同様の構成について同一の符号を付し、その詳細な説明は省略する。
【００９７】
合成画像生成手段１３は、指定期間決定部１４ａ、画像抽出部１５、撮影履歴付画像生成部１６、座標算出部１７、表示変更処理部１８、重畳処理部１９で構成されている。指定期間決定部１４ａ、画像抽出部１５、撮影履歴付画像生成部１６、座標算出部１７、重畳処理部１９については、実施の形態１と同様であるため説明を省略する。
【００９８】
表示変更処理部１８は、表示強弱処理部１８ａ、表示色処理部１８ｂで構成されており、撮影履歴付画像を構成する端末記号、時刻表示ウィンドウ、画像表示ウィンドウ、矢印線に対して表示変更を行うよう機能する。表示強弱処理部１８ａについては、実施の形態１と同様であるため説明を省略する。
【００９９】
表示色処理部１８ｂは、指定期間決定部１４ａからの指定期間情報と画像抽出部１５からの撮影時刻情報に基づき、指定期間情報に含まれる所定の時間幅毎に撮影履歴付画像の表示色を変更して色分けするよう機能する。
【０１００】
表示色処理部１８ｂは、例えば、指定期間決定部１４ａからの指定期間情報と画像抽出部１５からの撮影時刻情報に基づき、撮影履歴付画像を構成する端末記号、時刻表示ウィンドウ、画像表示ウィンドウ、矢印線の表示色を色分けする表示変更を行う。表示強弱処理部１８ａは、撮影時刻情報が指定時刻よりも前（過去）の時刻である場合（撮影時刻情報＜指定時刻）撮影履歴付画像を予め設定された過去を示す色に表示変更し、撮影時刻情報が指定時刻である（現在）場合（撮影時刻情報＝指定時刻）撮影履歴付画像を予め設定された現在を示す色に表示変更し、撮影時刻情報が指定時刻よりも後（未来）の時刻である場合（撮影時刻情報＞指定時刻）撮影履歴付画像を予め設定された未来を示す色に表示変更する。
【０１０１】
次に、実施の形態２の画像記録管理装置１０の処理動作について、図７のフローチャートを用いて説明する。画像記録管理装置１０の処理動作は、図７に示すように、実施の形態１の図３における処理動作のステップＳＴ１０９とステップＳＴ１１２の処理の間にステップＳＴ２０１の処理を行い、ステップＳＴ１１１とステップＳＴ１１２の処理の間にステップＳＴ２０２の処理を行うものである。なお、ステップＳＴ２０１とステップＳＴ２０２の処理動作の他は、実施の形態１の処理動作と同様であるため説明を省略する。
【０１０２】
表示色処理部１８ｂは、表示強弱処理部１８ａのステップＳＴ１０９において撮影履歴付画像２００を構成する端末記号２００ａ、時刻表示ウィンドウ２００ｂ、画像表示ウィンドウ２００ｃ、矢印線２００ｅに対して淡い薄表示とする処理を行うと、指定期間決定部１４ａからの指定期間情報と画像抽出部１５からの撮影時刻情報に基づき、時間区分（過去）を設定して、時間区分毎に予め設定された表示色で撮影履歴付画像を色分けする（ステップＳＴ２０１）。重畳処理部１９は、表示色処理部１８ｂのステップＳＴ２０１の処理が終わると、ステップＳＴ１１２の重畳処理を行う。
【０１０３】
表示色処理部１８ｂは、表示強弱処理部１８ａのステップＳＴ１１１において撮影履歴付画像２００を構成する端末記号２００ａ、時刻表示ウィンドウ２００ｂ、画像表示ウィンドウ２００ｃ、矢印線２００ｅに対して強表示とする処理を行うと、指定期間決定部１４ａからの指定期間情報と画像抽出部１５からの撮影時刻情報に基づき、時間区分（現在）を設定して、予め設定された時間区分毎の表示色で撮影履歴付画像を色分けする（ステップＳＴ２０２）。重畳処理部１９は、表示色処理部１８ｂのステップＳＴ２０２の処理が終わると、ステップＳＴ１１２の重畳処理を行う。
【０１０４】
なお、上述の処理動作では、過去または現在の時間区分を設定するよう説明しているが、表示時間決定部１４で決定された指定期間情報に未来の時刻が含まれている場合、過去、現在、未来の時間区分を設定して、予め設定された時間区分毎の表示色で撮影履歴付画像を色分けする。
【０１０５】
なお、表示色処理部１８ｂは、画像抽出部１５からの端末情報に基づき、移動端末１３０毎に撮影履歴付画像の表示色を変更するよう構成しても良い。
【０１０６】
次に、実施の形態２の具体的な合成画像の表示の一例について説明する。図８は、実施の形態２の画像記録管理装置における合成画像の一例を示している。
合成画像Ｃは、指定時刻「２００９／１０／０３／１２：００：００」に基づく指定期間情報「２００９／１０／０１／００：００：００〜２００９／１０／０４／２３：５９：５９」に撮影された画像の撮影履歴付画像を表示するものであり、図８に示すように、撮影履歴付画像３０１，３０２，３０３，４０２，４０３，５０１，５０２が地図画像上に重畳されて表示されている。
【０１０７】
撮影履歴付画像５０１は、端末記号５０１ａ、時刻表示ウィンドウ５０１ｂ、画像表示ウィンドウ５０１ｃで構成されている。時刻表示ウィンドウ５０１ｂには撮影時刻情報「２００９／１０／０１／１２：００：００」を表示しており、画像表示ウィンドウ５０１ｃには撮影時刻情報「２００９／１０／０１／１２：００：００」に撮影された静止画像５０１ｄを表示している。
【０１０８】
撮影履歴付画像５０１は、撮影時刻情報「２００９／１０／０１／１２：００：００」の日付「２００９／１０／０１」が指定時刻「２００９／１０／０３／１２：００：００」の日付「２００９／１０／０３」の２日前であるため（指定時刻の日付−撮影時刻情報の日付＝２）、表示強弱処理部１８ａの強弱処理により淡い極薄表示に変更されている。
【０１０９】
撮影履歴付画像５０２は、端末記号５０２ａ、時刻表示ウィンドウ５０２ｂ、画像表示ウィンドウ５０２ｃで構成されている。時刻表示ウィンドウ５０２ｂには撮影時刻情報「２００９／１０／０１／１３：３０：００」を表示しており、画像表示ウィンドウ５０２ｃには撮影時刻情報「２００９／１０／０１／１３：３０：００」に撮影された静止画像５０２ｄを表示している。
【０１１０】
撮影履歴付画像５０２は、撮影時刻情報「２００９／１０／０１／１３：３０：００」の日付「２００９／１０／０１」が指定時刻「２００９／１０／０３／１２：００：００」の日付「２００９／１０／０３」の２日前であるため（指定時刻の日付−撮影時刻情報の日付＝２）、表示強弱処理部１８ａの強弱処理により淡い極薄表示に変更されている。
【０１１１】
撮影履歴付画像３０１は、端末記号３０１ａ、時刻表示ウィンドウ３０１ｂ、画像表示ウィンドウ３０１ｃ、矢印線３０１ｅで構成されている。時刻表示ウィンドウ３０１ｂには撮影時刻情報「２００９／１０／０２／１２：００：００」を表示しており、画像表示ウィンドウ３０１ｃには撮影時刻情報「２００９／１０／０２／１２：００：００」に撮影された静止画像３０１ｄを表示している。矢印線３０１ｅは、同じ種類の端末記号５０１ａから端末記号３０１ａまでを結んでいる。
【０１１２】
撮影履歴付画像３０１は、撮影時刻情報「２００９／１０／０２／１２：００：００」の日付「２００９／１０／０２」が指定時刻「２００９／１０／０３／１２：００：００」の日付「２００９／１０／０３」の１日前であるため（指定時刻の日付−撮影時刻情報の日付＝１）、表示強弱処理部１８ａの強弱処理により淡い薄表示に変更されている。
【０１１３】
撮影履歴付画像３０２は、端末記号３０２ａ、時刻表示ウィンドウ３０２ｂ、画像表示ウィンドウ３０２ｃ、矢印線３０２ｅで構成されている。時刻表示ウィンドウ３０２ｂには撮影時刻情報「２００９／１０／０２／１３：３０：００」を表示しており、画像表示ウィンドウ３０２ｃには撮影時刻情報「２００９／１０／０２／１３：３０：００」に撮影された静止画像３０２ｄを表示している。矢印線３０２ｅは、同じ種類の端末記号５０２ａから端末記号３０２ａまでを結んでいる。
【０１１４】
撮影履歴付画像３０２は、撮影時刻情報「２００９／１０／０２／１３：３０：００」の日付「２００９／１０／０２」が指定時刻「２００９／１０／０３／１２：００：００」の日付「２００９／１０／０３」の１日前であるため（指定時刻の日付−撮影時刻情報の日付＝１）、表示強弱処理部１８ａの強弱処理により淡い薄表示に変更されている。
【０１１５】
撮影履歴付画像３０３は、端末記号３０３ａ、時刻表示ウィンドウ３０３ｂ、画像表示ウィンドウ３０３ｃで構成されている。時刻表示ウィンドウ３０３ｂには撮影時刻情報「２００９／１０／０２／１４：００：００」を表示しており、画像表示ウィンドウ３０３ｃには撮影時刻情報「２００９／１０／０２／１４：００：００」に撮影された動画像３０３ｄを表示している。
【０１１６】
撮影履歴付画像３０３は、撮影時刻情報「２００９／１０／０２／１４：００：００」の日付「２００９／１０／０２」が指定時刻「２００９／１０／０３／１２：００：００」の日付「２００９／１０／０３」の１日前であるため（指定時刻の日付−撮影時刻情報の日付＝１）、表示強弱処理部１８ａの強弱処理により淡い薄表示に変更されている。
【０１１７】
撮影履歴付画像４０２は、端末記号４０２ａ、時刻表示ウィンドウ４０２ｂ、画像表示ウィンドウ４０２ｃ、矢印線４０２ｅで構成されている。時刻表示ウィンドウ４０２ｂには撮影時刻情報「２００９／１０／０３／１３：３０：００」を表示しており、画像表示ウィンドウ４０２ｃには撮影時刻情報「２００９／１０／０３／１３：３０：００」に撮影された静止画像４０２ｄを表示している。矢印線４０２ｅは、同じ種類の端末記号３０２ａから端末記号４０２ａまでを結んでいる。
【０１１８】
撮影履歴付画像４０２は、撮影時刻情報「２００９／１０／０３／１３：３０：００」の日付「２００９／１０／０３」が指定時刻「２００９／１０／０３／１２：００：００」の日付「２００９／１０／０３」と同日であるため（指定時刻の日付＝撮影時刻情報の日付）、表示強弱処理部１８ａの強弱処理により濃い強表示に変更されている。
【０１１９】
撮影履歴付画像４０３は、端末記号４０３ａ、時刻表示ウィンドウ４０３ｂ、画像表示ウィンドウ４０３ｃ、矢印線４０３ｅで構成されている。時刻表示ウィンドウ４０３ｂには撮影時刻情報「２００９／１０／０３／１４：００：００」を表示しており、画像表示ウィンドウ４０３ｃには撮影時刻情報「２００９／１０／０３／１４：００：００」に撮影された動画像４０３ｄを表示している。矢印線４０３ｅは、同じ種類の端末記号３０３ａから端末記号４０３ａまでを結んでいる。
【０１２０】
撮影履歴付画像４０３は、撮影時刻情報「２００９／１０／０３／１４：００：００」の日付「２００９／１０／０３」が指定時刻「２００９／１０／０３／１２：００：００」の日付「２００９／１０／０３」と同日であるため（指定時刻の日付＝撮影時刻情報の日付）、表示強弱処理部１８ａの強弱処理により濃い強表示に変更されている。
【０１２１】
撮影履歴付画像５０３は、端末記号５０３ａ、時刻表示ウィンドウ５０３ｂ、画像表示ウィンドウ５０３ｃ、矢印線５０３ｅで構成されている。時刻表示ウィンドウ５０３ｂには撮影時刻情報「２００９／１０／０４／１４：００：００」を表示しており、画像表示ウィンドウ５０３ｃには撮影時刻情報「２００９／１０／０４／１４：００：００」に撮影された動画像５０３ｄを表示している。矢印線５０３ｅは、同じ種類の端末記号４０３ａから端末記号５０３ａまでを結んでいる。
【０１２２】
撮影履歴付画像５０３は、撮影時刻情報「２００９／１０／０４／１４：００：００」の日付「２００９／１０／０４」が指定時刻「２００９／１０／０３／１２：００：００」の日付「２００９／１０／０３」の１日前であるため（指定時刻の日付−撮影時刻情報の日付＝１）、表示強弱処理部１８ａの強弱処理により淡い薄表示に変更されている。
【０１２３】
合成画像Ｃは、指定時刻「２００９／１０／０３／１２：００：００」には画像表示ウィンドウ４０２ｃに静止画像４０２ｄを表示し、指定時刻「２００９／１０／０３／１２：００：００」から指定された倍速で指定時刻が更新されると、指定時刻「２００９／１０／０３／１３：３０：００」には画像表示ウィンドウ４０３ｃに動画像４０３ｄを表示して再生する。
【０１２４】
合成画像Ｃにおいては、例えば、過去の時間区分「２００９／１０／０１」の撮影履歴付画像５０１，５０２を緑色で表示し、過去の時間区分「２００９／１０／０２」の撮影履歴付画像３０１，３０２，３０３を青色で表示し、現在の時間区分「２００９／１０／０３」の撮影履歴付画像４０２，４０３を赤色で表示し、未来の時間区分「２００９／１０／０４」の撮影履歴付画像５０３を橙色で表示しており、時間区分に応じて撮影履歴付画像の色を異なるように表示している。
【０１２５】
以上のように、実施の形態２によれば、画像記録管理装置１０は、実施の形態１の構成に加えて、指定期間決定部１４ａからの指定期間情報と画像抽出部１５からの撮影時刻情報に基づき、指定期間情報に含まれる所定の時間幅毎に撮影履歴付画像の表示色を変更して表示変更する表示色処理部１８ｂを備えるよう構成したので、時間区分に応じて撮影履歴付画像を異なる色で表示することができる。その結果、複数の画像と各画像の撮影位置情報を撮影時刻情報の経過に沿って把握し易く表示することができ、ユーザにとってより高率的に状況把握を行うことができる。
【０１２６】
実施の形態３．
実施の形態２においては、撮影履歴付画像の表示色を色分けして視認しやすく表示変更する構成について説明したが、実施の形態３は、端末記号が同一の位置に有る場合に視認しやすく表示変更する構成について説明する。
【０１２７】
図９は、実施の形態３の画像記録管理装置における合成画像生成手段１３の機能的構成を示している。図９においては、実施の形態１の合成画像生成手段１３に含まれる表示変更処理部１８の構成に一括表示処理部１８ｃを加えたものであり、図１（ａ）と同様の構成について同一の符号を付し、その詳細な説明は省略する。
【０１２８】
合成画像生成手段１３は、指定期間決定部１４ａ、画像抽出部１５、撮影履歴付画像生成部１６、座標算出部１７、表示変更処理部１８、重畳処理部１９、一括表示処理部１８ｃで構成されている。指定期間決定部１４ａ、画像抽出部１５、撮影履歴付画像生成部１６、座標算出部１７、重畳処理部１９については、実施の形態１と同様であるため説明を省略する。
【０１２９】
表示変更処理部１８は、表示強弱処理部１８ａ、一括表示処理部１８ｃで構成されており、撮影履歴付画像を構成する端末記号、時刻表示ウィンドウ、画像表示ウィンドウ、矢印線に対して表示変更を行うよう機能する。表示強弱処理部１８ａについては、実施の形態１と同様であるため説明を省略する。
【０１３０】
一括表示処理部１８ｃは、撮影履歴付画像に含まれる画像情報１２ｂの撮影位置情報に基づき、撮影履歴付画像の画像表示ウィンドウをバルーンウィンドウ内に一括表示するよう機能する。一括表示処理部１８ｃは、例えば、撮影履歴付画像に含まれる画像情報１２ｂの撮影位置情報が同一である撮影履歴付画像が複数有る場合、画像表示ウィンドウの数に基づく大きさでバルーンウィンドウを生成するとともに、各撮影履歴付画像の画像表示ウィンドウをそれぞれバルーンウィンドウ内に重ならないように一括表示するよう処理する。なお、一括表示処理部１８ｃは、撮影位置情報が予め設定された所定の範囲内に有る場合に各撮影履歴付画像の画像表示ウィンドウをそれぞれバルーンウィンドウ内に重ならないように一括表示するよう処理する構成にしても良い。
【０１３１】
次に、実施の形態３の画像記録管理装置１０の処理動作について、図１０のフローチャートを用いて説明する。画像記録管理装置１０の処理動作は、図１０に示すように、実施の形態１の図３における処理動作のステップＳＴ１１３“ＮＯ”またはステップＳＴ１１４の処理と、ステップＳＴ１１５の処理との間にステップＳＴ３０１からステップＳＴ３０２の処理を行うものである。なお、ステップＳＴ３０１とステップＳＴ３０２の処理動作の他は、実施の形態１の処理動作と同様であるため説明を省略する。
【０１３２】
一括表示処理部１８ｃは、重畳処理部１９において撮影履歴付画像２００が重畳済みの他の撮影履歴付画像と重なる部分が無いと判定した場合（ステップＳＴ１１３“ＮＯ”）、または撮影履歴付画像２００の座標を変更して表示位置をずらす処理を行った後（ステップＳＴ１１４）、撮影履歴付画像に含まれる画像の撮影位置情報に基づき、撮影位置情報が同一の撮影履歴付画像が有るか無いかを判定する（ステップＳＴ３０１）。
【０１３３】
一括表示処理部１８ｃは、ステップＳＴ３０１において撮影位置情報が同一の撮影履歴付画像が有ると判定した場合（ステップＳＴ３０１“ＹＥＳ”）、各撮影履歴付画像に含まれる画像に付加された端末情報と、各撮影履歴付画像からそれぞれの画像表示ウィンドウを取得する。
【０１３４】
一括表示処理部１８ｃは、画像表示ウィンドウの数に基づく大きさでバルーンウィンドウを生成するとともに、端末情報に基づき同一の移動端末１３０の画像表示ウィンドウを一つのバルーンウインドウ内に重ならないように一括表示するよう処理を行う（ステップＳＴ３０２）。
【０１３５】
一方、一括表示処理部１８ｃは、ステップＳＴ３０１において撮影位置情報が同一の撮影履歴付画像が無いと判定した場合（ステップＳＴ３０１“ＮＯ”）、ステップＳＴ１１５の処理へ進む。
【０１３６】
次に、実施の形態３の具体的な合成画像の表示の一例について説明する。図１１は、実施の形態３の画像記録管理装置１０における合成画像の一例を示している。
【０１３７】
バルーン表示処理前の合成画像６００ａは、図１１（ａ）に示すように、撮影位置情報が同一及び所定の範囲内である場合、端末記号６０１ａ，６０２ａ、日時表示ウィンドウ６０１ｂ，６０２ｂ，６０３ｂ、画像表示ウィンドウ６０１ｃ，６０２ｃ，６０３ｃが重なって表示されるため、見えなくなる部分が発生する。
【０１３８】
そこで、合成画像６００ｂに示すように、移動端末１３０毎及び撮影位置情報毎に画像表示ウィンドウ６０１ｃ，６０２ｃ，６０３ｃをバルーンウィンドウ６０１ｇ，６０２ｇ内に表示する。バルーンウィンドウ６０１ｇには画像表示ウィンドウ６０１ｆが表示され、バルーンウィンドウ６０２ｇには画像表示ウィンドウ６０２ｆ，６０３ｆが表示される。
【０１３９】
なお、合成画像６００ｂに示すように、日時表示ウィンドウ６０１ｅ，６０２ｅ，６０３ｅは、ステップＳＴ１１４の処理により表示位置をずらしている。
【０１４０】
また、他の一例を図１１（ｂ）に示す。バルーン表示処理前の合成画像６００ｃは、図１１（ｂ）に示すように、撮影位置情報が同一及び所定の範囲内である場合、端末記号６０４ａ，６０５ａ、日時表示ウィンドウ６０４ｂ，６０５ｂ画像表示ウィンドウ６０４ｃ，６０５ｃが重なって表示されるため、見えなくなる部分が発生する。
【０１４１】
そこで、合成画像６００ｄに示すように、移動端末毎及び撮影位置情報毎に画像表示ウィンドウ６０４ｃ，６０５ｃをバルーンウィンドウ６０４ｇ，６０５ｇ内に表示する。バルーンウィンドウ６０４ｇには画像表示ウィンドウ６０４ｆが表示され、バルーンウィンドウ６０５ｇには画像表示ウィンドウ６０５ｆが表示される。
【０１４２】
なお、合成画像６００ｄに示すように、日時表示ウィンドウ６０４ｅ，６０５ｅは、ステップＳＴ１１４の処理により表示位置をずらしている。
【０１４３】
なお、実施の形態３では実施の形態１の構成に加えて一括表示処理部１８ｃを備えた構成について説明したが、実施の形態２の構成に加えて一括表示処理部１８ｃを備えるよう構成しても良い。
【０１４４】
以上のように、実施の形態３によれば、画像記録管理装置１０は、撮影履歴付画像に含まれる画像情報１２ｂの撮影位置情報に基づき、撮影位置情報が同一または所定の範囲内に有る撮影履歴付画像の画像表示ウィンドウを取得し、画像表示ウィンドウの数に基づく大きさでバルーンウィンドウを生成するとともに、各撮影履歴付画像に含まれる画像表示ウィンドウをそれぞれバルーンウィンドウ内に一括表示する一括表示処理部１８ｃを備えるよう構成したことにより、撮影位置情報が同じである場合でも、撮影履歴付画像の画像表示ウィンドウ内の画像を重ならずに表示することができる。その結果、ユーザにとってより高率的に状況把握を行うことができる。
【０１４５】
実施の形態４．
実施の形態３においては、端末記号が同一の位置に有る場合に撮影履歴付画像をバルーン表示して視認しやすく表示変更する構成について説明したが、実施の形態４は、移動端末１３０の状態を表示する構成について説明する。
【０１４６】
図１２は、実施の形態４の画像記録管理装置１０における合成画像生成手段１３の機能的構成を示している。図１２においては、実施の形態１の合成画像生成手段１３の構成に状態表示処理部１８ｄを加えたものであり、図１（ａ）と同様の構成について同一の符号を付し、その詳細な説明は省略する。
【０１４７】
なお、図１（ａ）の記憶手段１２には、各移動端末１３０から通信手段１１を介して入力した各移動端末１３０の端末状態情報を記憶している。端末状態情報は、各移動端末１３０を示す端末情報と、電源オンオフを示す状態情報と、時刻情報と、その時刻における移動端末１３０の位置情報で構成されている。
【０１４８】
合成画像生成手段１３は、指定期間決定部１４ａ、画像抽出部１５、撮影履歴付画像生成部１６、座標算出部１７、表示変更処理部１８、重畳処理部１９、状態表示処理部１８ｄで構成されている。指定期間決定部１４ａ、画像抽出部１５、撮影履歴付画像生成部１６、座標算出部１７、重畳処理部１９については、実施の形態１と同様であるため説明を省略する。
【０１４９】
表示変更処理部１８は、表示強弱処理部１８ａ、状態表示処理部１８ｄで構成されており、撮影履歴付画像を構成する端末記号、時刻表示ウィンドウ、画像表示ウィンドウ、矢印線に対して表示変更を行うよう機能する。表示強弱処理部１８ａについては、実施の形態１と同様であるため説明を省略する。
【０１５０】
状態表示処理部１８ｄは、指定時刻と指定期間情報と端末状態情報に基づき電源オン、通常状態、電源オフといった端末状態と時刻と位置を示す端末状態画像を表示するよう機能する。状態表示処理部１８ｄは、例えば、指定期間決定部１４ａからの指定期間情報に基づき記憶手段１２に記憶された端末状態情報を取得する。状態表示処理部１８ｄは、指定期間決定部１４ａに入力された指定時刻と端末状態情報に含まれる状態情報に基づき端末状態画像を表示する処理を開始する。状態表示処理部１８ｄは、状態情報が電源オンを示す場合、指定時刻と電源オンの時刻情報が同じ時刻の場合（指定時刻＝電源オンの時刻情報）、端末情報と状態情報と位置情報に基づき電源オンされたことを示す端末状態画像を表示する。一方、状態表示処理部１８ｄは、状態情報が電源オフを示す場合、撮影履歴付画像の指定時刻と電源オフの時刻情報が同じ時刻の場合（指定時刻＝電源オフの時刻）、端末情報と状態情報と位置情報に基づき電源オフされたことを示す端末状態画像を表示する。また、電源オンから電源オフまでの時間における撮影履歴付画像は上述した実施の形態１から実施の形態３のように通常の表示を行う。
【０１５１】
また、状態表示処理部１８ｄは、電源オフを示す端末状態画像を表示した際、この撮影履歴付画像を表示ロックするよう機能する。状態表示処理部１８ｄは、電源オフの状態を表示している撮影履歴付画像を表示ロックすることで、移動端末１３０が電源オフされた位置を表示しておくことができる。
【０１５２】
次に、実施の形態４の画像記録管理装置の処理動作を図１３に示すフローチャートを用いて説明する。画像記録管理装置１０の処理動作は、図１３（ａ）に示すように、実施の形態１の図３における処理動作のステップＳＴ１０６の処理と、ステップＳＴ１０７の処理との間にステップＳＴ４０１からステップＳＴ４０２の処理を行うものである。また、画像記録管理装置１０の処理動作は、図１３（ｂ）に示すように、実施の形態１の図３における処理動作のステップＳＴ１１６の処理と、ステップＳＴ１１７の処理との間にステップＳＴ４０１からステップＳＴ４０２の処理を行うものである。なお、ステップＳＴ４０１とステップＳＴ４０２の処理動作の他は、実施の形態１の処理動作と同様であるため説明を省略する。
【０１５３】
状態表示処理部１８ｄは、端末記号生成部１６ａ、画像表示生成部１６ｂ、日時表示生成部１６ｃ、矢印線生成部１６ｄにおけるステップＳＴ１０３からステップＳＴ１０６で撮影履歴付画像２００を生成した後、または表示強弱処理部１８ａにおけるステップＳＴ１１６で撮影履歴付画像２００を取得した後、指定期間決定部１４ａで決定された指定時刻に基づき記憶手段１２に記憶された端末状態情報を取得する（ステップＳＴ４０１）。
【０１５４】
状態表示処理部１８ｄは、ステップＳＴ４０１において端末状態情報を取得すると、指定期間決定部１４ａからの指定期間情報と記憶手段１２からの端末状態情報に基づき電源のオンオフを判定し、指定期間決定部１４ａに入力された指定時刻と電源オンした時刻が同じ時刻の場合（指定時刻＝電源オンの時刻）、電源オンされたことを示す電源オン表示を表示する。状態表示処理部１８ｄは、指定期間決定部１４ａに入力された指定時刻が電源オンの時刻から電源オフされるまでの時刻の場合、撮影履歴付画像に対して上述した実施の形態１から実施の形態３のように通常の表示を行う。一方、状態表示処理部１８ｄは、指定期間決定部１４ａに入力された指定時刻と電源オフした時刻が同じ時刻の場合（指定時刻＝電源オフの時刻）、電源オフされたことを示す端末状態画像を表示する（ステップＳＴ４０２）。状態表示処理部１８ｄは、以降、再び電源オンされるまで電源オフを示す端末状態画像を表示する。
【０１５５】
次に、実施の形態４の撮影履歴付画像の表示の一例について図１４を用いて説明する。
端末状態画像７０１は、図１４に示すように、例えば二重丸で電源オンを示す端末記号７０１ａと、例えば表示部分を電源オンを示す色または斜線を重畳した日時表示ウィンドウ７０１ｂで構成されている。
【０１５６】
端末状態画像７０２は、図１４に示すように、上述した実施の形態１から実施の形態３のように通常の表示の端末記号７０２ａ、日時表示ウィンドウ７０２ｂ、画像表示ウィンドウ７０２ｃで構成されている。
【０１５７】
端末状態画像７０３は、図１４に示すように、例えば黒丸で電源オフを示す端末記号７０３ａと、例えば表示部分を電源オフを示す色または斜線を重畳した日時表示ウィンドウ７０３ｂで構成されている。
【０１５８】
なお、実施の形態４では実施の形態１の構成に加えて状態表示処理部１８ｄを備えた構成について説明したが、実施の形態２または実施の形態３の構成に加えて状態表示処理部１８ｄを備えるよう構成しても良い。
【０１５９】
以上のように、実施の形態４によれば、画像記録管理装置１０は、移動端末１３０から電源オンした時刻と電源オフした時刻を示す端末状態情報を通信手段１１を介して入力して記憶する記憶手段１２と、指定時刻と指定期間情報と記憶手段１２からの端末状態情報に基づき電源オン、通常状態、電源オフされた端末状態を示す撮影履歴付画像に表示変更する表示変更処理部１８（状態表示処理部１８ｄ）と、を備えるよう構成したので、撮影履歴付画像において各移動端末の電源オンから電源オフまでの状態変化を指定時刻に同期して表示することができる。その結果、ユーザが時間経過に沿って移動端末の電源オン、通常状態、電源オフの状態を認識することができる。
【符号の説明】
【０１６０】
１０  画像記録管理装置、１１  通信手段、１２  記憶手段、１３  合成画像生成手段、１４ａ  指定期間情報決定部、１４ｂ  指定時刻更新部、１５  画像抽出部、１６  撮影履歴付画像生成部、１６ａ  端末記号生成部、１６ｂ  画像表示生成部、１６ｃ  日時表示生成部、１６ｄ  矢印線生成部、１７  座標算出部、１８  表示変更処理部、１８ａ  表示強弱処理部、１８ｂ  表示色処理部、１８ｃ  一括表示処理部、１８ｄ  状態表示処理部、１９  重畳処理部、３０  表示装置、１００  画像情報管理システム、１１０  管理センター、１２０  ＧＰＳ衛星（位置特定手段）、１３０  端末装置、１３０ａ  携帯電話、１３０ｂ  デジタルカメラ、１３０ｃ  ビデオカメラ、１３０ｄ  ＰＤＡ、１４０  通信網、２０１，２０２，３０１，３０２，３０３，４０２，４０３，５０１，５０２，５０３，６０１，６０２，６０４，６０５，７０１，７０２，７０３  撮影履歴付画像、２０１ａ，２０２ａ，３０１ａ，３０２ａ，３０３ａ，４０２ａ，４０３ａ，５０１ａ，５０２ａ，５０３ａ，６０１ａ，６０２ａ，６０４ａ，６０５ａ，７０１ａ，７０２ａ，７０３ａ  端末記号、２０１ｂ，２０２ｂ，３０１ｂ，３０２ｂ，３０３ｂ，４０２ｂ，４０３ｂ，５０１ｂ，５０２ｂ，５０３ｂ，６０１ｂ，６０１ｅ，６０２ｂ，６０２ｅ，６０３ｂ，６０３ｅ，６０４ｂ，６０４ｅ，６０５ｂ，６０５ｅ，７０１ｂ，７０２ｂ，７０３ｂ  日時表示ウィンドウ、２０１ｃ，２０２ｃ，３０１ｃ，３０２ｃ，３０３ｃ，４０２ｃ，４０３ｃ，５０１ｃ，５０２ｃ，５０３ｃ，６０１ｃ，６０１ｆ，６０２ｃ，６０２ｆ，６０３ｃ，６０３ｆ，６０４ｃ，６０４ｆ，６０５ｃ，６０５ｆ，７０２ｃ  画像表示ウィンドウ、６００ａ，６００ｂ，６００ｃ，６００ｄ  合成画像、６０１ｇ，６０２ｇ，６０４ｇ，６０５ｇ  バルーンウィンドウ。
【図１】
2011243164.tif 000003
【図２】
2011243164.tif 000004
【図３ａ】
2011243164.tif 000005
【図３ｂ】
2011243164.tif 000006
【図４】
2011243164.tif 000007
【図５】
2011243164.tif 000008
【図６】
2011243164.tif 000009
【図７】
2011243164.tif 000010
【図８】
2011243164.tif 000011
【図９】
2011243164.tif 000012
【図１０】
2011243164.tif 000013
【図１１】
2011243164.tif 000014
【図１２】
2011243164.tif 000015
【図１３】
2011243164.tif 000016
【図１４】
2011243164.tif 000017